(57)【要約】【課題】  書き換え可能なディスクに追記作業する際に、ディスクに対するアンファイナライズ処理が終了されていなくても、データの記録が可能なディスク記録再生装置を提供する。【解決手段】  異なる情報を記録再生するディスク記録再生装置であって、ファイナライズ済みディスクが装着されている場合に、記録ボタンが押されたら、記録データを一時的にメモリに記録すると共に、アンファイナライズ処理を開始し、アンファイナライズ終了後に該メモリ手段のデータをディスクに記録する手段を備えた記録再生装置を提供する【選択図】  図１
2006164370.tif 000002
【特許請求の範囲】
【請求項１】
ディスクに映像あるいは音声を記録再生するディスク記録再生装置であって、ファイナライズ済みディスクが装着されている場合に、記録ボタンが押されたら、記録データを一時的にメモリ手段に供給すると共に、一方ではアンファイナライズを開始し、アンファイナライズ終了後に該メモリ手段のデータをディスクに記録することを特徴とするディスク記録再生装置。
【請求項２】
前記アンファイナライズの実行前に、ユーザにアンファイナライズするか否かの確認メッセージを表示することを特徴とする請求項１記載のディスク記録再生装置。
【請求項３】
前記ディスクへの記録が完了したら、該ディスクのファイナライズを行うことを特徴とする請求項１記載のディスク記録再生装置。
【請求項４】
前記ファイナライズの実行前に、ユーザにファイナライズするか否かの確認メッセージを表示することを特徴とする請求項３記載のディスク記録再生装置。
【請求項５】
請求項１〜請求項４記載のディスク記録再生装置はカムコーダであること特徴とする。
【発明の詳細な説明】
【技術分野】
【０００１】
本発明は、書き換え可能なディスクに映像あるいは音声を記録再生するディスク記録再生装置に関する。
【背景技術】
【０００２】
近年、低コストで、大容量のデータを記録可能なＣＤ−Ｒ（Compact Disc-Recordable）や、ＤＶＤ−Ｒ（Digital Versatile Disc-Recordable）等の記録媒体が知られている。なかでも、ユーザがデータを書き換え可能に記録できる記録媒体であるＣＤ−ＲＷ（Compact Disc-ReWritable）やＤＶＤ−ＲＷ（Digital Versatile Disc-ReWritable）は、幅広く利用されている。以下、図を参照して、ＣＤ−ＲＷについて説明する。
【０００３】
図４は、ＣＤ−ＲＷに記憶される情報の格納位置を示す図である。ＣＤ−ＲＷ（ディスク２）は、略中心位置から外側に向かって、らせん状、かつ連続的に情報を記憶するように、物理的に構成されている。具体的に、ディスク２は、内側からＰＣＡ（Power Calibration Area）２ａ、ＰＭＡ（Program Memory Area）２ｂ、リードイン領域２ｃ、プログラム領域２ｄ、リードアウト領域２ｅが設けられている。
【０００４】
ＰＣＡ２ａは、データを記録するレーザパワーの調整を行うために使用される領域である。すなわち、ドライブは、データ記録前にこの領域でレーザパワーを振って試し書きを行い、最適なパワーを決定する。
【０００５】
ＰＭＡ２ｂは、プログラム領域２ｄに記録されたトラックに関する情報｛トラック情報；トラック番号（以下、「ＴＮＯ」と呼ぶ）、トラックの開始位置、終了位置等｝を一時的に記録する領域である。本来、この情報は、最終的にはリードイン領域２ｃにＴＯＣ（Ｔable of Contents）情報として記録されるが、ＣＤ−ＲＷは追記作業が完結するまでトラック情報が確定しないのでＴＯＣ情報を記録できない。そのため、ＴＯＣ情報をリードイン領域２ｃに記録するまでは、トラック情報をＰＭＡ２ｂに記録しておく。  
【０００６】
リードイン領域２ｃは、セッションの開始を示す領域であり、ＰＭＡ２ｂに記録されたＴＮＯ、アドレス情報（トラックの開始位置、または終了位置）、データ領域の合計の長さ等をＴＯＣ情報として記録する。
【０００７】
プログラム領域２ｄには、連続、または不連続にトラックのデータ（以下、「トラックデータ」と呼ぶ）が記録される領域である。プログラム領域２ｄに記録されたトラックデータのアドレス情報は、リードイン領域２ｃにＴＯＣ情報として記録され、ＴＯＣ情報に基づいてプログラム領域２ｄに記録されたデータが取得される。
【０００８】
リードアウト領域２ｅは、セッションの終了を示す領域であり、プレーヤが最終トラックを越えて読んでも良いように、プログラム領域２ｄの最終卜ラックの後ろに置かれたバッファ領域である。例えば、プレーヤがリードアウトのコードを読み取ると、設定されたプログラムに応じて、先頭に戻って最初から演奏するか、演奏を停止する。
【０００９】
上記のようなＣＤ−ＲＷに記録を行うディスク記録再生装置は、プログラム領域２ｄにトラックデータの記録を行い、記録終了後に、記録を行ったトラックに関する情報を、ＰＭＡ２ｂに記録する。また、続いて新たなトラックを記録する場合、記録装置は、ＰＭＡ２ｂに記録された情報を読み出して、プログラム領域２ｄに記録されたトラックの記録終端位置を検出し、この記録終端位置に続けて、新たなトラックデータの記録を行う。
【００１０】
そして、最終的に全てのトラックの記録を終えた場合、記録装置は、記録完結処理を行う。ここで、記録完結処理とは、リードイン領域２ｃにＴＯＣ情報等のリードイン情報を記録して、リードアウト領域２ｅに所定のフォーマットのリードアウト情報を記録することにより、記録を完結させる処理である（本明細書において、この処理を以降「ファイナライズ」と呼ぶ）。
【００１１】
ここで、ＣＤ−ＲＷは、ファイナライズされた後は、新たなトラックの追記が一切できなくなる。しかし、ディスク記録再生装置において、この記録完結状態を解除することにより、再び新たなトラックの追記が可能となる。記録完結状態の解除とは、リードイン領域２ｃに記録されたリードイン情報と、リードアウト領域２ｅに記録されたリードアウト情報とを消去することである（本明細書において、この処理を以降「アンファイナライズ」と呼ぶ）。
【特許文献１】特開２００３−１５１１４号公報
【発明の開示】
【発明が解決しようとする課題】
【００１２】
しかしながら、上述のようなファイナライズ処理がされた書換え可能なディスクに情報の書き換えを行う場合、従来の記録装置では、ユーザの手動操作によりアンファイナライズを行い、アンファイナライズ終了後に、データの記録作業を行っていた。そして、データの記録終了後、再び、ユーザの手動操作によりファイナライズを行い、書き換え作業を終了していた。
【００１３】
このため、書き換え作業に非常に手間がかかると共に、アンファイナライズが終了しないとディスクにデータを記録できないという問題があった。
【００１４】
また、ディスクカムコーダについては、ディスクがファイナライズされていた場合に、アンファイナライズを実行しないとディスクにデータを記録できないため、撮影する場合には、アンファイナライズが終了してから撮影を行っていた。そのため、アンファイナライズが終了するまでは、撮影したい場合でも撮影出来ないという問題があった。  そこで、本発明の目的は、書き換え可能なディスクに追記作業する際に、アンファイナライズ処理が終了されていなくても、データの記録が可能なディスク記録再生装置を提供することである。
【課題を解決するための手段】
【００１５】
上記課題を解決するために、本発明は、ディスクに映像あるいは音声を記録再生するディスク記録再生装置であって、ファイナライズ済みディスクが装着されている場合に、記録ボタンが押されたら、記録データを一時的にメモリ手段に供給すると共に、一方ではアンファイナライズを開始し、アンファイナライズ終了後に該メモリ手段のデータをディスクに記録する手段を備えた記録再生装置を提供する。
【発明の効果】
【００１６】
本発明のディスク記録再生装置によれば、ファイナライズ済みの書き換え可能なディスクに、カムコーダ等の撮影したデータを追記する場合に、アンファイナライズ処理が終了していなくてもデータの追記を行うことができる。
【発明を実施するための最良の形態】
【００１７】
以下、図を参照して本発明の実施の形態を詳細に説明する。図１〜図２は、本発明を適用したディスク記録再生装置１の一実施の形態を示す図である。
【００１８】
まず、構成を説明する。図１は、本実施の形態における映像データや音声データを記録再生するディスク記録再生装置１の構成を示すブロック図である。図１において、ディスク記録再生装置１は、ＣＰＵ１１ａ、ＲＯＭ１１ｂ、ＲＡＭ１１ｃ、を備えるシステムコントローラ１１、表示部１２、操作部１３、撮像部１４、記録再生部１５、MPEGエンコーダ１６、MPEGデコーダ１７、バッファメモリ１８、ＡＶメモリ１９等から構成される。
【００１９】
まず、撮像部１４取り込んだ映像データや音声データは、ＡＤ変換されてＡＶメモリ１９に一時格納される。このとき、ＡＶメモリ１９内で、ＪＰＥＧ圧縮や、リサイザ等の処理を行なうこともできる。これらは、直接ＡＶメモリ１９からバッファメモリ１８へ転送される。また、映像データや音声データはＭＰＥＧエンコーダ１６へ入力され、ＭＰＥＧエンコーダでビットストリームデータにエンコードされる。次に、ビットストリームデータは、バッファメモリ１８に書き込まれる。バッファメモリ１８のデータは、システムコントローラ１１の制御により、ディスク２へのデータの記録が行なわれる。ちなみに、バッファメモリ１８は、外乱や振動により、記録再生部１５がディスク２にアクセスできない場合に、データを溜めておく役割があり、データ記録時には、記録データが途切れないために使用され、記録ボタンが押されたら、撮像部１４から入力されるデータを記憶しておくことで、記録データが途切れることはない。再生時には、再生データが途切れないために使用される。また、バッファメモリ１８は、装填されたディスクから読み取ったＴＯＣ情報に含まれるアドレス情報（例えば、トラックの開始位置）等を一時的に格納するワークエリアを有する。
【００２０】
再生時は、ディスク２から読み出した信号をバッファメモリ１８に書き込む。ビットストリームデータを再生した場合は、ＭＰＥＧデコーダ１７に転送され、ＭＰＥＧデコーダでビットストリームデータからビデオデータにデコードされる。その他のデータの場合は、直接ＡＶメモリ１９へ転送される。また、ＭＰＥＧデコーダ１７でデコードされたデータは、ＡＶメモリ１９に書き込まれ、ＬＣＤ等の表示装置１２に表示される。
【００２１】
システムコントローラ１１は、ＣＰＵ１１ａ、ＲＯＭ１１ｂ、ＲＡＭ１１ｃにより構成される。ＣＰＵ１１ａは、ＲＯＭ１１ｂ、及びＲＡＭ１１ｃに格納される各種アプリケーションプログラムを読み出して実行し、記録再生装置１の各部を集中的に駆動制御する。
【００２２】
また、ＲＡＭ１１ｃは、ＣＰＵ１１ａの各種制御動作に対応するアプリケーションプログラムを格納するプログラム格納エリアを有する。
【００２３】
なお、ＣＰＵ１１ａは、上述した記録ボタンが押されたか否かを判別する判別手段、ディスクがアンファイナライズ可能なディスクであるか否かを判別する判別手段、アンファイナライズ実行手段、ディスクへのデータの記録が完了したか否かを判別する手段、ファイナライズ実行手段、表示制御手段としての機能を有している。
【００２４】
具体的に、ＣＰＵ１１ａは、ＲＯＭ１１ｂに格納される追記処理プログラムを読み出して、後述する追記処理（図２参照）を実行する。
【００２５】
表示部１２は、ＬＣＤ等の表示画面を備えて構成され、ビデオデータ、操作部１３から入力される情報やシステムコントローラ１１から出力される各種表示情報を表示する。例えば、ディスクに予め記録されたＴＯＣ情報、ディスク記録再生装置１の動作状態（再生中、停止中、記録中等）、動作モード（再生、記録、ファイナライズ等）、および、再生または記録動作の進行時間等の表示を行う。
【００２６】
操作部１３は、記録、再生、停止、消去等を指示する各種操作キーを備え、各種キーが押下されると、対応する操作信号を生成してシステムコントローラ１１に出力する。
【００２７】
記録再生部１５は、図示しない光ピックアップ、ＤＳＰ、トラッキングスレッドサーボ回路、スピンドルサーボ回路等を備えて構成される。この記録再生部１５は、システムコントローラ１１から入力される制御信号により、記録再生部１５内に装填されたディスク２の再生や、ビットストリームデータ等の記録を行う。
【００２８】
光ピックアップは、ディスクの再生時に、後述するトラッキングスレッドサーボ回路に制御されたスレッド（図示せず）により、ディスクの半径方向に移動し、当該ディスクにレーザ光を照射することで、その反射光から、当該ディスクに記録されている音楽データを抽出する。
【００２９】
ＤＳＰ（Digital Signal Processor）は、光ピックアップによりディスクから読み出されたデジタル信号に対しＥＦＭ（Eight to Fourteen ）デコード等の処理を施す。このＤＳＰは、デジタル録音の際、入力されるデジタル音声データに対し、ＥＦＭエンコード処理等を施す。また、アナログ録音の際は、Ａ／Ｄ変換部１７から入力されるデジタル音声データにＥＦＭエンコード処理等を施す。
【００３０】
トラッキングスレッドサーボ回路は、ディスク再生時に、ＤＳＰから入力した各種信号に基づいて、スレッド駆動信号をスレッドモータに印加することにより、光ピックアップを当該ディスクの半径方向に移動させる。
【００３１】
スピンドルサーボ回路は、ディスク再生時に、ＤＳＰから入力した各種信号に基づいて、ディスクを下方から支持しているスピンドルモータにスピンドル駆動信号を印加することで、スピンドルモータを線速度一定に制御し、当該ディスクを回転駆動させる。
【００３２】
次に、本実施の形態の動作を説明する。図２及び図３は、本発明の実施形態のディスク記録再生装置１のＣＰＵ１１ａにより実行される追記処理を示すフローチャートである。図２は、記録ボタンが押された場合に、アンファイナライズを実行する自動追記処理を示すフローチャートである。図３は、記録ボタンが押され、且つ、追記を許可する指示が入力された場合にのみ、アンファイナライズを実行する追記処理を示すフローチャートである。
【００３３】
図２において、ＣＰＵ１１ａは、ユーザにより操作部１３を介してデータ記録の指示（例えば、録音キー押下）が入力されると、入力データをバッファメモリ１８に記憶し（ステップＳ１０）、記録再生部１５にディスク２が装填されていることを検知して、装填されたディスク２が記録可能なディスクであるか否かを判断する（ステップＳ１１）。
【００３４】
ここで、装填されているディスク２が記録可能なディスクである場合（ステップＳ１１；ＹＥＳ）、即ち、ディスク２がファイナライズされていない場合、ＣＰＵ１１ａは、通常の記録動作を開始する操作信号を記録再生部１５に出力する（ステップＳ１２）。そして、ＣＰＵ１１ａは、記録再生部１５において記録動作が実行されている間（ステップＳ１３）、ディスク２の記録容量の残量が０になるか、あるいは、操作部１３を介して記録停止指示が入力されたかを監視する（ステップＳ１４）。ＣＰＵ１１ａは、ディスク２の記録容量に残量があり、記録停止指示が入力されない場合は（ステップＳ１４；ＮＯ）、記録動作を続行させる。
【００３５】
一方、ディスク２の記録容量の残量が０になるか、操作部１３を介して記録停止指示が入力された場合（ステップＳ１４；ＹＥＳ）、ＣＰＵ１１ａは、記録動作を停止する指示を記録再生部１５に出力する（ステップＳ１５）。そして、ＣＰＵ１１ａは、プログラム領域に記録したトラックデータのアドレス情報を記録し、処理を終了する。
【００３６】
ステップＳ１１に戻って、ディスク２が記録可能なディスクでない場合（ステップＳ１１；ＮＯ）、ＣＰＵ１１ａは、ディスク２がＣＤ−ＲＯＭ又はＣＤ−Ｒディスクであるか否かを判断する（ステップＳ１６）。ここで、ディスク２がＣＤ−ＲＯＭまたはＣＤ−Ｒディスクの場合（ステップＳ１６；ＹＥＳ）、ＣＰＵ１１ａは、表示部１２にCaution表示として、例えば、「Can Not Rec」のエラーメッセージを表示させる（ステップＳ２０）。そして、ＣＰＵ１１ａは、記録動作を行わずに本追記処理を終了する。
【００３７】
一方、ディスク２が、追記可能なＣＤ−ＲＷディスクであった場合（ステップＳ１６；ＮＯ）、ＣＰＵ１１ａは、Caution表示として、例えば、「Finalized Disk」の注意メッセージを表示部１２に表示させる(ステップＳ１７）。次いで、ＣＰＵ１１ａは、ディスク２に空き容量があるか否かを判断して（ステップＳ１８）、ディスク２に空き容量がない場合（ステップＳ１８；ＮＯ）、ステップＳ２０に移行する。そして、ＣＰＵ１１ａは、表示部１２にCaution表示として、例えば、「Can Not Rec」のエラーメッセージを表示させ（ステップＳ２０）、記録動作を行わずに本追記処理を終了する。
【００３８】
一方、ディスク２に空き容量がある場合（ステップＳ１８；ＹＥＳ）、ＣＰＵ１１ａは、Caution表示として、例えば、「Rec」の確認メッセージを表示部１２に表示させる（ステップＳ１９）。そして、ＣＰＵ１１ａは、アンファイナライズを実行する(ステップＳ２１）。
【００３９】
ここで、ＣＰＵ１１ａは、リードイン領域２ｃに記録されているリードイン情報、及びリードアウト領域２ｅに記録されているリードアウト情報を全て消去させ、アンファイナライズが終了したか否かを判断する（ステップＳ２２）。そして、アンファイナライズが終了した場合（ステップＳ２２；ＹＥＳ）、ＣＰＵ１１ａは、ユーザがデータの記録指示をしてから、アンファイナライズ実行が終了するまでの入力データを記憶しているバッファメモリ１８内のデータを記録し、入力データの追記動作を開始させる指示信号を記録再生部１５に出力する（ステップＳ２３）。
【００４０】
次いで、ＣＰＵ１１ａは、記録再生部１５が記録を行っている間、ディスク２の記録容量の残量が０になるか、操作部１３を介して記録停止指示が入力されたかを監視する（ステップＳ２５）。ＣＰＵ１１ａは、ディスク２の記録容量に残量があり、記録停止の指示が入力されない場合は（ステップＳ２５；ＮＯ）、記録を続行させる。
【００４１】
また、ディスク２の記録容量の残量が０になるか、操作部１３を介して記録停止指示が入力された場合（ステップＳ２５；ＹＥＳ）、ＣＰＵ１１ａは、記録停止の指示信号を記録再生部１５に出力して、記録を停止させ、（ステップＳ２６）プログラム領域２ｄに記録されたトラックデータのアドレス情報を記録させ、ＴＯＣ情報を作成する。
【００４２】
ディスクへ入力データの追記が終了したら、CPU１１aは、Caution表示として、例えば、「Finalize?」の確認メッセージを表示部１２に表示させる（ステップ２７）。そして、CPU１１aは、操作部１３を介してユーザがファイナライズ実行する指示が入力されたか否かを判定する。ファイナライズ指示が無かった場合（ステップ２８：ＮＯ）は、ファイナライズ処理をせず、終了する。
【００４３】
ファイナライズ指示があった場合（ステップ２８：ＹＥＳ）、ＣＰＵ１１ａは、ファイナライズを開始して、ＴＯＣ情報を記録し、プログラム領域２ｄの終了位置に続けてリードアウト情報を記録することにより、ファイナライズを行う（ステップＳ２９）。そして、ＣＰＵ１１ａは、ファイナライズが全て終了したか否かの判断をして（ステップＳ３０）、ファイナライズが全て終了した場合（ステップＳ３０；ＹＥＳ）、本追記処理を終了する。
【００４４】
図３は、記録ボタンが押され、且つ、追記を許可する指示が入力された場合のみ、アンファイナライズを実行する追記処理を示すフローチャートである。前記追記処理のフローチャートで、図２と同様の場合は、説明を省略し、異なる箇所についてのみ説明する。
【００４５】
ステップＳ１８で、ディスク２に空き容量があるか否かを判断し、ディスク２に空き容量がある場合（ステップＳ１８；ＹＥＳ）、ＣＰＵ１１ａは、Caution表示として、例えば、「Add New Data？」の確認メッセージを表示部１２に表示させる（ステップＳ５９）。そして、ＣＰＵ１１ａは、タイマー機能により所定時間をセットするとともに、操作部１３を介して追記を許可する指示が入力されるのを待機する（ステップ６０）。タイマー機能の所定時間はバッファメモリ１８に記憶領域として使用できる領域とデータの記録レート及びアンファイナライズ実行に要する時間を考慮して、バッファメモリ１８に記憶可能な任意の時間が設定される。
【００４６】
ここで、追記を中止する指示が入力された場合、あるいは、タイマー機能により所定時間を経過しても追記を許可する指示が入力されない場合（ステップＳ６１；ＮＯ）、ＣＰＵ１１ａは、追記不可と判断して本追記処理を終了する。
【００４７】
一方、所定時間内に追記を許可する指示が入力された場合（ステップＳ６１；ＹＥＳ）、ＣＰＵ１１ａは、アンファイナライズを実行する(ステップＳ２１）。ステップＳ２１以降は図２のフローチャートと同様である。
【００４８】
以上のように、本発明によれば、装填されたディスク２に記録指示が入力された場合、入力されるデータをバッファメモリ１８に記憶しておき、ディスク２が、アンファイナライズ可能なディスクであるかを判断して、アンファイナライズ可能なディスクである場合は、アンファイナライズを行う。アンファイナライズ処理後にバッファメモリ１８のデータをディスク２に記録する。このとき、ディスク２への追記が完了した後、ＰＭＡ２ｂからアドレス情報を取得するとともに、ＴＯＣ情報を作成し、ファイナライズを行う。
【００４９】
したがって、アンファイナライズ処理が終了していなくてもデータを記録することができ、ユーザは追記の際の面倒な手間及び時間を省くことができる。
【００５０】
なお、本実施の形態における記述は、本発明に係るディスク記録再生装置１の一例であり、これに限定されるものではない。例えば、本実施の形態の追記処理において、ユーザからの入力によりファイナライズを実行するか否かを判断しているが、予め自動でファイナライズを行なう設定にしておくことにより、自動でファイナライズを行なう構成であっても良い。
【００５１】
あるいは、本実施の形態において、ディスクはＣＤ−ＲＷに限らず、例えば、ＤＶＤ−ＲＷであっても良く、その他、書き換え可能な記録媒体であれば本発明を適用可能であることは勿論である。その他、本実施の形態における記録装置１の細部構成、および詳細動作に関しても、本発明の趣旨を逸脱しない範囲で適宜変更可能である。
【図面の簡単な説明】
【００５２】
【図１】本発明を適用した実施の形態のディスク記録再生装置１の構成を示すブロック図である。
【図２】記録ボタンが押された場合に、アンファイナライズを実行する追記処理を示すフローチャートである。
【図３】記録ボタンが押され、且つ、追記を許可する指示が入力された場合に、アンファイナライズを実行する追記処理を示すフローチャートである。
【図４】ＣＤ−ＲＷに記憶される情報の格納領域を示す図である。
【符号の説明】
【００５３】
１  ディスク記録再生装置
２  ディスク
11  システムコントローラ
11a  ＣＰＵ
11b  ＲＯＭ
11c  RAM
12  表示部
13  操作部
14  撮像部
15  記録再生部
16  ＭＰＥＧエンコーダ
17  ＭＰＥＧデコーダ
18  バッファメモリ
19  ＡＶメモリ
【図１】
2006164370.tif 000003
【図２】
2006164370.tif 000004
【図３】
2006164370.tif 000005
【図４】
2006164370.tif 000006